(57)【要約】      （修正有）【課題】ケーブルの収納／取り出し操作をスムーズに行うことができ、上部に収納した機器に接続したケーブルに対してもケーブル余長分を無理なく収容できる機器収納用ラックを提供する。【解決手段】  ラックのマウントアングルと側面パネルの間の隙間に引き出し可能なケーブル収納器具を設けた。このケーブル収納器具４は、マウントアングルに組み付けられたレール部材の上下端部に設置された一対のレール７ａに案内されて前後に移動するスライド枠４ａと、スライド枠４ａの開口部を閉塞する蓋板とを有し、スライド枠４ａのケーブル収納空間にはケーブルを巻回保持するケーブルホルダ１９を備えた。【選択図】図３
2006324607.tif 000002
【特許請求の範囲】
【請求項１】
少なくとも左右側面が閉塞された箱体内の前面側左右に一対のマウントアングルが立設され、該一対のマウントアングルに架け渡して機器を固定することで、複数の機器を前記箱体内に重ねて収納可能とする機器収納用ラックにおいて、
前記箱体側面と前記マウントアングルとの間の隙間に、ケーブルの余長分を収納するためのケーブル収納器具を配置し、該ケーブル収納器具は前方に引き出し可能であって、引き出した状態でケーブルの収納／取り出し操作が可能であることを特徴とする機器収納用ラック。
【請求項２】
ケーブル収納器具は、ケーブルを巻回保持するケーブルホルダを備え、ケーブルの巻回収納が可能である請求項１記載の機器収納用ラック。
【請求項３】
ケーブル収納器具は、機器収納用ラックの内方に向けて開口形成されてケーブル収納空間を有するスライド枠と、前記スライド枠の開口部を閉塞する蓋板とから成る請求項１又は２記載の機器収納用ラック。
【請求項４】
ケーブル収納器具は、マウントアングル或いは箱体のフレームに組み付けて前後方向に配置したレールに案内されて摺動して前後移動する請求項１乃至３の何れかに記載の機器収納用ラック。
【請求項５】
ケーブル収納器具は、上下対称形状である請求項１乃至４の何れかに記載の機器収納用ラック。
【発明の詳細な説明】
【技術分野】
【０００１】
本発明は、電子機器や通信機器等の機器を収納する機器収納用ラックに関し、特にケーブルの余長分を収納するための器具を備えた機器収納用ラックに関する。
【背景技術】
【０００２】
機器収納用ラックに収納した機器に接続するケーブルの余長分は、従来収納した機器とラック側面の間の隙間を利用して収納したり、機器を組み付ける為のマウントアングル間に余長収納の為の板を機器と同様に組み付けて収納スペースを確保して収納（例えば、特許文献１参照）したり、更にはラック下部に配置する架台内にケーブル余長収納部を設けて収納していた（例えば、特許文献２参照）。
【０００３】
【特許文献１】特開２００１−３４５５８３号公報
【特許文献２】特開２００３−１６８８８１号公報
【発明の開示】
【発明が解決しようとする課題】
【０００４】
しかし、上記左右の隙間を利用する収納形態は、扉を開けた際にケーブルの煩雑な状態が露出するし、ケーブルを引き出す際に絡まったりしてメンテナンス時のケーブル操作が面倒であったし、余長収納の為の板を利用する形態は、機器収納スペースを減らす事になり好ましい収納方法とは言えなかった。また、架台を利用する形態は、機器収納用ラック内の機器収納空間を有効し利用できるが、上方に収納した機器の余長ケーブルを収納するにはケーブルの引き回し量が長くなってしまうし、ラック下部にケーブルが集中するため、ケーブル引き出し作業やメンテナンス作業が面倒であった。
【０００５】
そこで、本発明はこのような問題点に鑑み、ケーブルの収納／取り出し操作をスムーズに行うことができ、上部に収納した機器に接続したケーブルに対してもケーブル余長分を無理なく収容できる機器収納用ラックを提供することを目的とする。
【課題を解決するための手段】
【０００６】
上記課題を解決する為に、請求項１の発明は、少なくとも左右側面が閉塞された箱体内の前面側左右に一対のマウントアングルが立設され、該一対のマウントアングルに架け渡して機器を固定することで、複数の機器を前記箱体内に重ねて収納可能とする機器収納用ラックにおいて、前記箱体側面と前記マウントアングルとの間の隙間に、ケーブルの余長分を収納するためのケーブル収納器具を配置し、該ケーブル収納器具は前方に引き出し可能であって、引き出した状態でケーブルの収納／取り出し操作が可能であることを特徴とする。
この構成により、ケーブル余長分の収納／取り出し操作をする際、ケーブル収納器具を引き出せばスムーズに実施できるし、メンテナンス等の作業もし易くなる。また、箱体側面とマウントアングルとの間の隙間は上下に亘り形成されているので、ケーブル収納器具の設置位置は容易に上下に移動できる。そのため、収納した機器やケーブルの量に合わせて配置でき、上部に設置した機器の余長ケーブルであっても、下方に設置した余長ケーブルであっても良好に収納できる。
【０００７】
請求項２の発明は、請求項１に記載の発明において、ケーブル収納器具は、ケーブルを巻回保持するケーブルホルダを備え、ケーブルの巻回収納が可能である請求項１記載の機器収納用ラック。
この構成により、ケーブルを巻回して収納できるので、収納したケーブルを整理し易いし、取り出す際にケーブルが絡まるようなことがなくなる。
【０００８】
請求項３の発明は、請求項１又は２に記載の発明において、ケーブル収納器具は、機器収納用ラックの内方に向けて開口形成されてケーブル収納空間を有するスライド枠と、前記スライド枠の開口部を閉塞する蓋板とから成ることを特徴とする。
この構成により、スライド枠は機器が配置されているラック内方に向けて開口されているので、ケーブルの収納操作がし易い。また、ケーブルを収納したスライド枠の開口部は蓋板により閉塞できるので、ケーブル収納器具を引き出し／押し込み操作する際に収納したケーブルがレールやマウントアングルに引っかかったりすることがなく、スムーズに操作できる。
【０００９】
請求項４の発明は、請求項１乃至３の何れかに記載の発明において、ケーブル収納器具は、マウントアングル或いは箱体のフレームに組み付けて前後方向に配置したレールに案内されて摺動して前後移動することを特徴とする。
この構成により、レールに案内されるのでケーブル収納器具の引き出し／押し込み操作をスムーズに行うことができる。
【００１０】
請求項５の発明は、請求項１乃至４の何れかに記載の発明において、ケーブル収納器具は、上下対称形状であることを特徴とする。
この構成により、左右に形成されたマウントアングルと側面の間の隙間に対して、同一形状のケーブル余長収納機具を反転して装着でき、１種類のケーブル収納器具を用意するだけで良い。そして、何れの部位に組み付けても同様の操作でケーブルを収納できるし、ケーブル収納器具の引き出し／押し込み操作をスムーズに行うことができる。
【発明の効果】
【００１１】
このように、本発明によれば、ケーブル収納器具を引き出すことができるので、ケーブルの収納／取り出し操作をスムーズに実施でき、メンテナンス等の作業がし易くなる。また、ケーブル収納器具を隙間の上下に移動して設置することが可能であり、上部に設置した機器の余長ケーブルであっても、下方に設置した余長ケーブルであっても良好に収納できる。
【発明を実施するための最良の形態】
【００１２】
以下、本発明を具体化した実施の形態を、図面に基づいて詳細に説明する。図１は本発明に係る機器収納用ラック（以下、単にラックと称する）の一例を示す斜視説明図であり、１はラック本体としての箱体、２は機器を取り付けるためのマウントアングル、３はラックフレーム、４はケーブル収納器具、５は取り付けた機器、６はケーブルを示している。
【００１３】
箱体１は、左右側面及び背面が取り外し容易なパネル１０により閉塞され、天面には天板１１が設けられ閉塞されている。前面は図示しない扉が設置され、箱体１は各面が閉塞される構造となっている。また、マウントアングル２は、箱体１内部の前面側左右に立設され、機器５の左右マウント片をこの左右のマウントアングル２に架け渡してボルト止めして組み付けることで上下に重ねて収納可能となっている。
そして、このマウントアングル２と左右のパネルを取り付けたラックフレーム３の間にケーブル収納器具４は設置されている。
【００１４】
ケーブル収納器具４は図２に示すように形成され、図２（ａ）はラックに収納した状態、図２（ｂ）は引き出した状態を示している。ケーブル収納器具４は、スライド枠４ａと蓋板４ｂから構成され、マウントアングル２に取り付けられたレール部材７に案内されて前後移動可能に配置されている。
スライド枠４ａは、金属板を略コ字状に折り曲げて内部にケーブル収納空間を形成し、一方に開放形成されている。そして、折り曲げ部を上下に配置し、上下端部は更に折り曲げて２段に折り曲げ形成されている。この折り曲げた上下両端は後述するレールに係合してレール上を摺動する帯状の摺動枠１６と成っている。
そして、２段に折り曲げた中間の平坦部は蓋板４ｂ係合面を形成し、図２ではケーブル収納空間を蓋板４ｂにより閉塞した状態を示している。蓋板４ｂは、上下部位が一対のナイラッチ１８によりスライド枠４ａに固定されているだけで、容易に着脱操作が可能であり、この蓋板４ｂを装着することで、収納したケーブル６が側方にはみ出すことが無く、スライド枠４ａの引き出し／押し込み操作をスムーズに実施できるようにしている。
【００１５】
レール部材７は、金属板で作製されたレール基台１２と、レール基台１２の上下端部に取り付けた一対の樹脂製レール７ａから構成され、レール基台１２は、前方側一辺を折り曲げてマウントアングル２に取り付けるための取付片１４を有し、取付片１４にはネジを挿通する孔１４ａが穿設され、マウントアングル２に前方からネジ止め可能に構成されている。
【００１６】
図３は、蓋板４ｂを外した状態を示し、図３に示すようにスライド枠４ａ内部には収納したケーブル６を巻回するためのケーブルホルダ１９が組み付けられている。
ケーブルホルダ１９は、柔軟性を有する合成樹脂により略扇状に形成されたホルダ部材１９ａを対向配置して形成され、内側巻回部と外側巻回部を備え、スライド枠４ａにネジ止め固定されている。スライド枠４ａにはホルダ部材１９ａを取り付ける為の複数のネジ挿通孔が穿設され、巻回するケーブル６の太さや長さに応じて、巻回する径を変更可能となっている。
【００１７】
また、２１はスライド枠４ａの押し込みを所定位置で停止させるストッパであり、取付片１４の中央に設けられている。このストッパ２１により、スライド枠４ａを所定量押し込むと、蓋板４ｂに設けられた係止片２２が係止し、係止片２２に取り付けられているナイラッチ２３がストッパ２１の孔２１ａに係合してスライド枠４ａは保持固定される。
スライド枠４ａを引き出す際は、このナイラッチ２３を摘んで引き出せば容易に引き出す事ができる。また、このストッパ２１は、スライド枠４ａが引き出された際に、抜け落ちないようにスライド枠４ａの引き出しを所定量で停止させるストッパでもあり、スライド枠４ａの背部に設けられた爪片（図示せず）が係止して抜け落ちないように構成されている。
【００１８】
更に、２４は引き込んだケーブル６、或いは引き出したケーブル６を固定する為の結束バンドであり、スライド枠４ａのケーブル６を引き出す前面側には結束バンドを保持する長孔２５が適宜位置に複数形成されている。
【００１９】
このように形成されたケーブル収納器具４は、図１に示すように、マウントアングル２とラックフレーム３の間の隙間に配置され、マウントアングル２にネジ止めされて取り付けられる。この場合、取り付け位置は上下に移動して選択できるし、収納するケーブルの量に応じて複数取り付けることもできるよう構成されている。そして、ケーブル６を収納する際、或いは取り出す際は、スライド枠４ａを引き出し、蓋板４ｂを取り外して行われる。
また、図２からも分かるように、ケーブル収納器具４は上下対称に形成されており、ラック１内左右の隙間に同一の形状のケーブル収納器具４を設置でき、全く同様の操作で、収納及び取り出し操作ができる。
【００２０】
このように、ケーブル余長分の収納／取り出し操作をする際、ケーブル収納器具を引き出せばスムーズに実施できるし、メンテナンス等の作業もし易くなる。また、箱体側面とマウントアングルとの間の隙間は上下に亘り形成されているので、ケーブル収納器具は容易に上下に移動できる。そのため、収納した機器に合わせて配置でき、上部に設置した機器の余長ケーブルであっても、下方に設置した余長ケーブルであっても良好に収納できる。
また、ケーブルを巻回して収納できるので、収納したケーブルを整理し易いし、取り出す際にケーブルが絡まるようなことがなくなる。
更に、スライド枠は機器が配置されているラック内方に向けて開口されているので、ケーブルの収納操作がし易いし、スライド枠の開口部は蓋板により閉塞できるので、ケーブル収納器具を引き出し／押し込み操作する際に収納したケーブルがレール等に引っかかったりすることがなく、スムーズに操作できる。
また、スライド枠は、レールに案内されるのでケーブル収納器具の引き出し／押し込み操作をスムーズに行うことができる。
また、ケーブル収納器具は上下対称に形成されているので、左右に形成されたマウントアングルと側面の間の隙間に対して、同一形状のケーブル余長収納機具を反転して装着でき、１種類のケーブル収納器具を用意するだけで良い。そして、何れの部位に組み付けても同様の操作でケーブルを収納できるし、ケーブル収納器具の引き出し／押し込み操作をスムーズに行うことができる。
【００２１】
尚、上記実施形態は、ケーブル収納器具４の前面が開放されて形成されているが、ケーブル引出部のみ残して、蓋部材を設けて閉塞するようにしても良いし、ケーブル６を側方から引き出すようにして、前面は完全に閉塞しても良い。
また、マウントアングル２に取り付けているが、隣接するラックフレーム３に取り付けることも可能である。但し、マウントアングル２の方が前面からネジ止め操作し易いので、マウントアングル２を利用して取り付けるのが好ましい。
【図面の簡単な説明】
【００２２】
【図１】本発明に係る機器収納用ラックの実施形態の一例を示す斜視説明図である。
【図２】図１のケーブル収納器具を抜き出した図で、（ａ）はラック内に収納した状態、（ｂ）は引き出した状態を示している。
【図３】蓋板を外した状態のケーブル収納器具を示している。
【符号の説明】
【００２３】
１・・機器収納用ラック、２・・マウントアングル、３・・ラックフレーム、４・・ケーブル収納器具、４ａ・・スライド枠、４ｂ・・蓋板、６・・ケーブル、７・・レール部材、７ａ・・レール、１９・・ケーブルホルダ、１９ａ・・ホルダ部材。
【図１】
2006324607.tif 000003
【図２】
2006324607.tif 000004
【図３】
2006324607.tif 000005